(57)【特許請求の範囲】
【請求項１】
相互に同一の長さと同一の湾曲度を有するとともに複数のジョイント部が所定の間隔毎に一方側にのみ突出して設けられた外側円弧状パイプと、相互に同一の長さと同一の湾曲度を有するとともにそれぞれ前記外側円弧状パイプに沿って隙間を介して延び、かつ前記外側円弧状パイプに固定された内側円弧状パイプとにより形成された複数の二重枠片を備え、これらの二重枠片を連結して半円形に形成される正面側・背面側用の二重フレームと、
相互に同一の長さと同一の湾曲度を有するとともに複数のジョイント部が所定の間隔毎に両側に突出して設けられた外側円弧状パイプと、相互に同一の長さと同一の湾曲度を有するとともにそれぞれ前記外側円弧状パイプに沿って隙間を介して延び、かつ前記外側円弧状パイプに固定された内側円弧状パイプとにより形成された複数の二重枠片を備え、これらの二重枠片を連結して半円形に形成される中間位置用の二重フレームと、
相互に同一の長さと同一の湾曲度を有するとともに複数のジョイント部が所定の間隔毎に両側に突出して設けられた円弧状パイプにより形成された複数の一重枠片を備え、これらの一重枠片を連結して半円形に形成される中間位置用の一重フレームと、
前記正面側・背面側用の二重フレーム、前記中間位置用の二重フレーム、及び前記中間位置用の一重フレームのうち相互に隣り合うフレームのジョイント部同士をそれぞれ連結する真っ直ぐな複数本の連結パイプとを有し、
相互に平行となって所定の間隔を隔てて、前記正面側・背面側用の二重フレームを正面側と背面側に、前記中間位置用の二重フレーム及び中間位置用の一重フレームを中間位置に混在させて配置するとともに隣り合う前記フレームのジョイント部同士を前記連結パイプにより連結して蒲鉾型の骨格構造体を形成し、
前記骨格構造体にシートを装着して形成するようにしたことを特徴とする組み立て式テント。
【請求項２】
相互に同一の長さと同一の湾曲度を有するとともに複数のジョイント部が所定の間隔毎に一方側にのみ突出して設けられた外側円弧状パイプと、相互に同一の長さと同一の湾曲度を有するとともにそれぞれ前記外側円弧状パイプに沿って隙間を介して延び、かつ前記外側円弧状パイプに固定された内側円弧状パイプとにより形成された複数の二重枠片を備え、これらの二重枠片を連結して半円形に形成される正面側・背面側用の二重フレームと、
相互に同一の長さと同一の湾曲度を有するとともに複数のジョイント部が所定の間隔毎に両側に突出して設けられた外側円弧状パイプと、相互に同一の長さと同一の湾曲度を有するとともにそれぞれ前記外側円弧状パイプに沿って隙間を介して延び、かつ前記外側円弧状パイプに固定された内側円弧状パイプとにより形成された複数の二重枠片を備え、これらの二重枠片を連結して半円形に形成される中間位置用の二重フレームと、
前記正面側・背面側用の二重フレーム及び前記中間位置用の二重フレームのうち相互に隣り合うフレームのジョイント部同士をそれぞれ連結する真っ直ぐな複数本の連結パイプとを有し、
相互に平行となって所定の間隔を隔てて、前記正面側・背面側用の二重フレームを正面側と背面側に、前記中間位置用の二重フレームを中間位置に配置するとともに隣り合う前記フレームのジョイント部同士を前記連結パイプにより連結して蒲鉾型の骨格構造体を形成し、
前記骨格構造体にシートを装着して形成するようにしたことを特徴とする組み立て式テント。
【発明の詳細な説明】
【０００１】
【発明の属する技術分野】
本発明はパイプにより形成されたフレームからなる骨格構造体を有するを組み立て式テントに関する。
【０００２】
【従来の技術】
建築工事現場に隣接させて資材置場や作業者の休憩室などを設けるために仮設テントが使用されることがあり、遊園地など人の集まる場所に仮設テントを設けて短期間のイベントを開催することがある。また、家屋に隣接させて土地の余ったスペースに物置としてテントを設けることもある。このような種々の用途に使用されるテントとしては、フレームを組み立てて骨格構造体を形成するようにし、その外側に樹脂製のシートを装着するようにしたものがある。
【０００３】
【発明が解決しようとする課題】
テントは屋外に設置されることから、風雨に対して所望の耐久性を有することが必要となるだけでなく、その組み立てを容易に行うことができることが望ましい。特に、これまでに開発されているテントは、そのサイズが予め定められており、需要者の必要とするサイズが規格化されて予め定められたサイズの中から選ぶことができない場合には、特注品となってしまうので、入手に時間がかかるだけでなく、価格が高くなってしまう。
【０００４】
また、比較的大きなテントを設置する場合に、骨格構造体を形成するためのフレームも大きくなってしまうので、それをトラックなどの輸送手段を用いて運搬することが容易でない。
【０００５】
本発明の目的は、テントの骨格構造体の強度を高めつつ組み立てを容易に行うことができるようにすることにある。
【０００６】
本発明の他の目的は、少ない種類のフレームを連結することにより、テントの長さを任意の長さとすることができるようにすることにある。
【０００７】
本発明の他の目的は、骨格構造体を構成するフレームを複数のパイプにより形成するようにして、テントを構成する部材の運搬を容易に行い得るようにすることにある。
【０００８】
【課題を解決するための手段】
本発明の組み立て式テントは、相互に同一の長さと同一の湾曲度を有するとともに複数のジョイント部が所定の間隔毎に一方側にのみ突出して設けられた外側円弧状パイプと、相互に同一の長さと同一の湾曲度を有するとともにそれぞれ前記外側円弧状パイプに沿って隙間を介して延び、かつ前記外側円弧状パイプに固定された内側円弧状パイプとにより形成された複数の二重枠片を備え、これらの二重枠片を連結して半円形に形成される正面側・背面側用の二重フレームと、相互に同一の長さと同一の湾曲度を有するとともに複数のジョイント部が所定の間隔毎に両側に突出して設けられた外側円弧状パイプと、相互に同一の長さと同一の湾曲度を有するとともにそれぞれ前記外側円弧状パイプに沿って隙間を介して延び、かつ前記外側円弧状パイプに固定された内側円弧状パイプとにより形成された複数の二重枠片を備え、これらの二重枠片を連結して半円形に形成される中間位置用の二重フレームと、相互に同一の長さと同一の湾曲度を有するとともに複数のジョイント部が所定の間隔毎に両側に突出して設けられた円弧状パイプにより形成された複数の一重枠片を備え、これらの一重枠片を連結して半円形に形成される中間位置用の一重フレームと、前記正面側・背面側用の二重フレーム、前記中間位置用の二重フレーム、及び前記中間位置用の一重フレームのうち相互に隣り合うフレームのジョイント部同士をそれぞれ連結する真っ直ぐな複数本の連結パイプとを有し、相互に平行となって所定の間隔を隔てて、前記正面側・背面側用の二重フレームを正面側と背面側に、前記中間位置用の二重フレーム及び中間位置用の一重フレームを中間位置に混在させて配置するとともに隣り合う前記フレームのジョイント部同士を前記連結パイプにより連結して蒲鉾型の骨格構造体を形成し、前記骨格構造体にシートを装着して形成するようにしたことを特徴とする。
【０００９】
本発明の組み立て式テントは、相互に同一の長さと同一の湾曲度を有するとともに複数のジョイント部が所定の間隔毎に一方側にのみ突出して設けられた外側円弧状パイプと、相互に同一の長さと同一の湾曲度を有するとともにそれぞれ前記外側円弧状パイプに沿って隙間を介して延び、かつ前記外側円弧状パイプに固定された内側円弧状パイプとにより形成された複数の二重枠片を備え、これらの二重枠片を連結して半円形に形成される正面側・背面側用の二重フレームと、相互に同一の長さと同一の湾曲度を有するとともに複数のジョイント部が所定の間隔毎に両側に突出して設けられた外側円弧状パイプと、相互に同一の長さと同一の湾曲度を有するとともにそれぞれ前記外側円弧状パイプに沿って隙間を介して延び、かつ前記外側円弧状パイプに固定された内側円弧状パイプとにより形成された複数の二重枠片を備え、これらの二重枠片を連結して半円形に形成される中間位置用の二重フレームと、前記正面側・背面側用の二重フレーム及び前記中間位置用の二重フレームのうち相互に隣り合うフレームのジョイント部同士をそれぞれ連結する真っ直ぐな複数本の連結パイプとを有し、相互に平行となって所定の間隔を隔てて、前記正面側・背面側用の二重フレームを正面側と背面側に、前記中間位置用の二重フレームを中間位置に配置するとともに隣り合う前記フレームのジョイント部同士を前記連結パイプにより連結して蒲鉾型の骨格構造体を形成し、前記骨格構造体にシートを装着して形成するようにしたことを特徴とする。
【００１０】
本発明にあっては、骨格構造体を構成するフレームを全体的に半円形状とし、これを相互に同一の湾曲度と長さとを有する複数の枠片によって形成するようにしたので、全体的に比較的サイズの大きなテントをそれぞれ小形の部材によって組み立てることができ、その運搬を容易に行うことができる。しかも、組み立て作業が容易であり、短時間でテントを組み立てることができる。
【００１１】
【発明の実施の形態】
以下、本発明の実施の形態を図面に基づいて詳細に説明する。
【００１２】
図１は本発明の一実施の形態である組み立て式テントを組み立て状態における外観を示す斜視図であり、図２は図１に示す組み立て式テントの骨格構造体を示す概略斜視図であり、図３は図２の正面図であり、図４は図２の背面図であり、図５は図２の側面図である。この組み立て式テントは断面が半円形となり、全体的に蒲鉾形状となっており、図２に示すテントの骨格構造体の外側にシートを装着することにより形成されている。
【００１３】
骨格構造体１０は、図２に示すように、それぞれ半円形となった３つの一重フレーム１１と、４つの二重フレーム２１ａ，２１ｂ，２１ｂ，２１ｃとを交互に所定の間隔毎に配置して、隣接するフレーム相互を連結パイプにより連結して組み立てられる。テントの正面側には二重フレーム２１ａが配置され、背面側には二重フレーム２１ｃが配置されている。このように組み立てられた骨格構造体１０の外側に図１に示すように養生シートＳを装着することにより、テントが組み立てられる。図５に示すように、フレーム相互の間隔、つまりフレーム相互のピッチＰは、図示する実施の形態にあっては２ｍとなっているが、このピッチＰの値は任意とすることができる。
【００１４】
図６（Ａ）は一重フレーム１１を示す正面図であり、一重フレーム１１は相互に同一の長さと同一の湾曲度つまり同一の曲率半径を有する円弧状パイプ１２により形成された３つの一重枠片１３ａ，１３ｂ，１３ｃを備え、これらの円弧状の一重枠片１３ａ〜１３ｃを端部で連結することにより半円形に形成されている。したがって、それぞれの一重枠片１３ａ〜１３ｃの中心の角度θは６０度となっている。円弧状パイプ１２としては外径が４５〜５０ｍｍ程度であり、肉厚が２〜３ｍｍ程度の鋼製の中空丸パイプが使用されている。図示する骨格構造体１０の幅寸法Ｗは約１０ｍであり、長さ寸法Ｌは約１２ｍとなっており、一重フレーム１１の中心部の曲率半径Ｒは５ｍとなっている。
【００１５】
図６（Ｂ）は一重フレーム１１を形成する１つの一重枠片１３ａを示す側面図であり、図６（Ｃ）はその斜視図である。中空丸パイプにより形成された円弧状パイプ１２には、これと同一径の中空丸パイプからなるジョイント部１４が所定の間隔毎に両側に突出して設けられている。図示する円弧状パイプ１２は円周方向に所定の間隔置きに５つのジョイント部１４が設けられている。他の一重枠片１３ｂ，１３ｃも一重枠片１３ａと同一の構造となっており、図２に示された３つの一重フレーム１１は、全て同一の一重枠片１３ａ〜１３ｃにより組み立てられている。
【００１６】
したがって、図２に示すような骨格構造体１０を有するテントを組み立てるには、一重フレーム１１が３つ必要となるので、同一の構造の９つの一重枠片が用意される。それぞれの一重枠片は比較的小形のサイズとなっているので、トラックなどの輸送機関を用いて容易にテント設置場所まで搬送することができる。
【００１７】
図７（Ａ）は二重フレーム２１ｂを示す正面図であり、この二重フレーム２１ｂは相互に同一の長さと同一の湾曲度つまり同一の曲率半径を有する外側円弧状パイプ２２と、相互に同一の長さと同一の湾曲度を有するとともにそれぞれ外側円弧状パイプ２２に沿って所定の間隔を隔てて延びて複数本の固定パイプ２３により外側円弧状パイプ２２に固定された内側円弧状パイプ２４とにより形成された３つの二重枠片２５ａ，２５ｂ，２５ｃを備え、これらの二重枠片２５ａ〜２５ｃを端部で連結することにより半円形に形成されている。したがって、それぞれの二重枠片２５ａ〜２５ｃの中心の角度θは６０度となっている。外側円弧状パイプ２２と内側円弧状パイプ２４は、円弧状パイプ１２と同一の外径を有する中空丸パイプにより形成され、図示する二重フレーム２１ｂのうち外側円弧状パイプ２２の中心部の曲率半径Ｒ1 は一重フレーム１１と同様に５ｍであり、内側円弧状パイプ２４の中心部の曲率半径Ｒ2 は４．８ｍとなっており、外側円弧状パイプ２２と内側円弧状パイプ２４の中心間距離Ｄは、２０ｃｍとなっている。
【００１８】
図７（Ｂ）は二重フレーム２１ａを形成する１つの二重枠片２５ａを示す斜視図であり、中空丸パイプにより形成された外側円弧状パイプ２２には、これと同一径の中空丸パイプからなるジョイント部２６が所定の間隔毎に両側に突出して設けられている。図示する外側円弧状パイプ２２は円周方向に所定の間隔置きに５つのジョイント部２６が設けられており、そのジョイント部２６は一重枠片の円弧状パイプ１２に設けられたジョイント部１４と円周方向に同一の位置に設けられている。他の二重枠片２５ｂ，２５ｃも二重枠片２５ａと同一の構造となっており、これらの３つの二重枠片２５ａ〜２５ｃを組み立てることにより二重フレーム２１ｂが形成される。なお、図２に示された２つの二重フレーム２１ｂはそれぞれ同一の構造となっている。
【００１９】
図３は図２および図５に示された二重フレーム２１ａを示す正面図であり、図７に示した二重フレーム２１ｂと同様に、３つの二重枠片２５ａ〜２５ｃを備えており、それぞれの二重枠片は外側円弧状パイプ２２と内側円弧状パイプ２４とこれらを所定の間隔を隔てて固定する複数の固定パイプ２３とにより構成されている。ただし、二重フレーム２１ｂの外側円弧状パイプ２２にはその両側に突出してジョイント部２６が設けられているのに対して、二重フレーム２１ａの外側円弧状パイプ２２には、図５に示されるように、一方側にのみ突出してジョイント部２６ａが設けられている。
【００２０】
二重フレーム２１ａを構成する２つの二重枠片２５ａ，２５ｃの内側円弧状パイプ２４には、水平方向を向いて内側に突出する３つのジョイント部２７がそれぞれ設けられており、他の１つの二重枠片２５ｂの内側円弧状パイプ２４には、垂直方向を向いて内側に突出するジョイント部２８が２つ設けられている。
【００２１】
二重フレーム２１ａにはそれぞれジョイント部２８の部分で２本の支柱３１が連結されるようになっており、それぞれの支柱３１には、水平方向を向いて一方側に突出したジョイント部３２と、これに対して反対側に突出した３つのジョイント部３３とが設けられている。２本の支柱３１は相互にジョイント部３２の部分で梁部材３４により連結され、支柱３１と二重フレームはジョイント部２７，３３の部分で梁部材３５〜３７により連結されるようになっている。梁部材３４と２本の支柱３１とにより形成される開口部によってテント内への出入り口が構成されることになる。
【００２２】
図４は図２および図５に示された二重フレーム２１ｃを示す背面図であり、図３に示した二重フレーム２１ａと同一の構造となっており、テント組み立て時には向きが二重フレーム２１ａとは反対向きとなって配置される。つまり、テントの正面側となる二重フレーム２１ａと背面側となる二重フレーム２１ｃは、図５に示されるように、ジョイント部２６ａが相互に対向するように、つまり向き合うようにして配置される。
【００２３】
図４に示すように、背面側の二重フレーム２１ｃに組み付けられる２本の支柱３１ａには、３つのジョイント部３３ａが両側に突出して設けられており、それぞれの支柱３１ａの間には、梁部材３４がジョイント部３３ａに取り付けられて連結されるようになっている。テントの正面側と背面側とに出入り口を設ける場合には、図３に示される二重フレーム２１ａがテントの両端側に配置されることになる。
【００２４】
なお、正面側と背面側のそれぞれの二重フレーム２１ａ，２１ｃの外側円弧状パイプと内側円弧状パイプの曲率半径Ｒ1 ，Ｒ2 は中間の二重フレーム２１ｂと同一となっている。
【００２５】
このように、二重フレームはそれぞれ１対の正面側用と背面側用とに加えて、中間位置用の２つが用意されており、それぞれの基本構造は相互に同一となっているので、共通の部材を用いて製造することができる。しかも、図２に示す骨格構造体１０を有するテントを組み立てるために使用される合計１２の二重枠片はそれぞれが一重枠片と同様に比較的小形のサイズとなるので、その運搬を容易に行うことができる。
【００２６】
図８は図６に示された一重フレーム１１におけるVIII部を拡大して示す図であり、一重フレーム１１を構成するそれぞれの円弧状パイプ１２の端部内には小径の締結パイプ４１が嵌合されるようになっており、円弧状パイプ１２と締結パイプ４１にはねじ部材４２が貫通する孔が形成されている。したがって、それぞれ一重枠片１３ａ〜１３ｃを構成する３つの円弧状パイプ１２は、締結パイプ４１により連結されて、それぞれの一重枠片が組み立てられることになる。
【００２７】
二重フレーム２１ａ〜２１ｃを構成する外側円弧状パイプ２２と内側円弧状パイプ２４も同様の締結パイプを用いて相互に連結されるようになっている。
【００２８】
一重フレーム１１と二重フレーム２１ａ〜２１ｃは、図２に示すように、それぞれテント設置基盤に設けられた台座４３に固定されるようになっている。図９は図２に示された台座４３のIX部の拡大斜視図であり、台座４３は骨格構造体１０の側辺に沿ってその全長に渡って設けられることになり、台座４３には二重フレームの端部に嵌合する小径の締結パイプ４４と、一重フレームの端部に嵌合する小径の締結パイプ４５とが所定の間隔毎に取り付けられている。
【００２９】
台座４３に所定の間隔毎に配置されるそれぞれのフレームは相互に連結パイプ５０により連結されるようになっている。図１０は図５におけるＸ部の拡大斜視図であり、連結パイプ５０の端部にはジョイント部２６ａ内に嵌合する締結パイプ５１が突出して設けられ、その締結パイプ５１を囲むように、２つの締結片５２が連結パイプ５０の端部から突出している。締結片５２とジョイント部２６ａにそれぞれ形成された貫通孔にはねじ部材５３が止め付けられるようになっている。このねじ部材５３に代えてピンなどを用いるようにしても良く、図８に示すような締結方式を用いても良い。さらには、締結パイプ５１の径をジョイント部２６ａの外径よりも大きく設定し、締結パイプ５１の端部内にジョイント部２６ａを嵌合させるようにし、嵌合部をピンやねじ部材によって固定するようにしても良い。
【００３０】
図３および図４に示す支柱と梁部材との締結についても、図８に示すような締結方式や図１０に示す締結方式を用いることができる。
【００３１】
図１に示すような断面が半円形となった蒲鉾形のテントを組み立てるには、骨格構造体１０を構成するそれぞれの部品と養生シートＳがテント設置場所に搬送される。まず、３つの一重フレームをそれぞれ３つの一重枠片によって組み立て、同様に、４つの二重フレームをそれぞれ３つの二重枠片によって組み立てる。その際には、それぞれの枠片が同一のサイズとなっているので、誤組み立ての発生を防止して容易に組み立てることができる。テントの設置場所には台座４３を配置し、台座４３に設けられた締結パイプ４４，４５にそれぞれの一重フレームと二重フレームとをそれぞれの両端部で嵌合させるとともに、フレーム相互を連結パイプ５０により連結する。
【００３２】
さらに、正面側の二重フレーム２１ａには図３に示すように支柱３１と梁部材３４〜３７を連結して入口を有する正面側の骨格が組み立てられる。同様に、背面側の二重フレーム２１ｃには図４に示すように支柱３１と梁部材３４〜３７を連結して背面側の骨格が組み立てられる。
【００３３】
このようにして、フレームと連結パイプと支柱と梁部材とを相互に連結する作業のみで、容易に図２に示すような骨格構造体１０の組み立てが完了し、その外側に図１に示すように、養生シートつまりシートＳを装着する。この養生シートＳは半円形の外周面を覆う長方形の側面シートＳ１と、正面側を覆う正面シートＳ２と、背面側を覆う背面シートＳ３とからなり、正面シートＳ２には扉部Ｓ４が設けられている。図１にあっては扉部Ｓ４が上側にロール状に巻き取られた状態となっている。
【００３４】
図２に示す骨格構造体１０は一重フレームと二重フレームの合計数が７つとなっているが、設置すべきテントのサイズに応じて任意の数のフレームを使用することにより、テントの長さを任意の長さとすることができる。正面側と背面側のフレームには、二重フレームが使用されており、支柱や梁部材をこれらの二重フレームに装着しても、十分な強度が確保される。しかも、それぞれのフレームを二重フレームのみによって構成するようにしても良く、その場合には一重フレームを混在させる場合に比して、骨格構造体１０の強度をより強くすることができる。
【００３５】
それぞれの一重フレームと二重フレームは全体的に半円形状となっており、図示する場合には半円形状つまり１８０度のフレームを６０度の円弧状の同一構造の枠片を用いて組み立てるようにしたので、少ない種類の部品点数によって幅寸法が１０ｍ程度の比較的大きなテントを容易に組み立てることができる。ただし、テントの幅寸法に応じて、それぞれのフレームを２つの枠片あるいは３つ以上の枠片によって形成するようにしても良い。その場合にも、それぞれのフレームは半円形状となるので、角度θが等分の角度となるように設定することにより、組み立てが容易となる。
【００３６】
これにより、資材置場や作業者の休憩室などを建築工事現場に設置する場合や、イベント用の仮設テントとして使用することができるサイズのテントを各々の部品のサイズをトラックなどの輸送手段で運搬することができる程度まで小さくするとともに、少ない種類の部品によって容易にテントを組み立てることができる。また、農作物を栽培するためのビニールハウスとしても本発明のテントを使用することができる。その際には、両正面側と背面側に出入り口を設けることが望ましい。
【００３７】
本発明は前記実施の形態に限定されるものではなく、その要旨を逸脱しない範囲で種々変更可能であることはいうまでもない。
【００３８】
たとえば、骨格構造体を構成する各部材の連結方式としては、図８〜図１０に示す場合に限られず、クランプ材を用いるようにしても良い。また、それぞれのフレームの曲率半径は用途に応じて任意の値に設定することができる。
【００３９】
【発明の効果】
本発明によれば、組み立て式テントを構成するフレームを相互に同一の長さと同一の湾曲度を有する複数の枠片によって形成するようにしたので、１つの枠片のサイズが小形となり、テント設置場所までに枠片の搬送が容易となる。しかも、骨格構造体を構成する各部材の種類を少なくすることができるので、組み立てが容易となる。
【図面の簡単な説明】
【図１】本発明の一実施の形態である組み立て式テントの組み立て状態における外観を示す斜視図である。
【図２】図１に示す組み立て式テントの骨格構造体を示す概略斜視図である。
【図３】図２の正面図である。
【図４】図２の背面図である。
【図５】図２の側面図である。
【図６】（Ａ）は一重フレームを示す正面図であり、（Ｂ）は一重フレームを構成する１つの一重枠片を示す側面図であり、（Ｃ）は同図（Ｂ）の斜視図である。
【図７】（Ａ）は二重フレームを示す正面図であり、（Ｂ）は二重フレームを構成する１つの二重枠片を示す斜視図である。
【図８】図６（Ａ）におけるVIII部の連結前の状態を拡大して示す斜視図である。
【図９】台座のうち図２におけるIX部を拡大して示す斜視図である。
【図１０】図５におけるＸ部の連結前の状態を拡大して示す斜視図である。
【符号の説明】
１０  骨格構造体
１１  一重フレーム
１２  円弧状パイプ
１３ａ〜１３ｃ  一重枠片
１４  ジョイント部
２１ａ〜２１ｃ  二重フレーム
２２  外側円弧状パイプ
２３  固定パイプ
２４  内側円弧状パイプ
２５ａ〜２５ｃ  二重枠片
２６，２６ａ  ジョイント部
２７  ジョイント部
２８  ジョイント部
３１，３１ａ  支柱
３２，３３，３３ａ  ジョイント部
３４〜３７  梁部材
４１  締結パイプ
４２  ねじ部材
４３  台座
４４，４５  締結パイプ
５０  連結パイプ
５１  締結パイプ
５２  締結片
５３  ねじ部材
Ｓ    養生シート
【図１】
0003943244.tif 000002
【図２】
0003943244.tif 000003
【図３】
0003943244.tif 000004
【図４】
0003943244.tif 000005
【図５】
0003943244.tif 000006
【図６】
0003943244.tif 000007
【図７】
0003943244.tif 000008
【図８】
0003943244.tif 000009
【図９】
0003943244.tif 000010
【図１０】
0003943244.tif 000011